(57)【要約】本発明は、信号解析装置並びに、直交送信ダイバーシチ（ＯＴＤ）により送信され、また少なくとも２つのアンテナ（Ant1, Ant2）のうちの少なくともひとつを介して送信されるＣＤＭＡ信号のコードチャネルの出力を表示する方法に関する。コードクラス（CC6, CC7）が個々のコードチャネルの出力を表示するために決定された場合に、決定されたコードクラス（CC6, CC7）の次のより高いコードクラス（CC7, CC8）におけるコードチャネル（19, 147, 83）の出力が評価装置（３）を用いて定義され、さらに決定されたコードクラス（CC6, CC7）における直交送信ダイバーシチに基づいて該当するアンテナ（Ant1, Ant2）と対応させる。実際に有効なコードチャネル（2, 3, 15, 20）のコードチャネル（CC2, CC3, CC4, CC5）に対するアンテナ（Ant1, Ant2）の実際の対応にしたがってコードチャネル交換が実施された後に、少なくともひとつのアンテナ（Ant1, Ant2）に対するコードチャネルの出力が、アンテナに関する表示装置（４）上に適正に表示される。
2005535163.tif 000002
【特許請求の範囲】
【請求項１】
直交送信ダイバーシチ（ＯＴＤ）により送信されるＣＤＭＡ（符号分割多重アクセス）信号のコードチャネルの出力を表示するための方法であって、該信号は少なくとも２つのアンテナ（Ant1, Ant2）のうちの少なくともひとつを介して送信されること、また下記の手順を有することを特徴とするコードチャネルの出力を表示するための方法：
−ＣＤＭＡ信号を受信すること；
−個々のコードチャネルの出力を表示するためにコードクラス（CC6, CC7）を決定すること；
−決定されたコードクラス（CC6, CC7）に関して次のより高いコードクラス（CC6, CC7）における個々のコードチャネル（19, 147, 83,…）の出力を決定すること；
−決定されたコードクラス（CC6, CC7）における直交送信ダイバーシチに応じて、個々のコードチャネル（19, 147, 83,…）の出力を各アンテナ（Ant1, Ant2）に割り当てること；
−実際に有効なコードチャネル（2, 3, 15, 20）のコードクラス（CC2, CC3, CC4, CC5）に関するアンテナ（Ant1, Ant2）の実際の割当てに応じて、コードチャネル交換を実施すること；および
−少なくともひとつのアンテナ（Ant1, Ant2）についての交換された各コードチャネルの出力を表示すること。
【請求項２】
実際に有効なコードチャネル（2, 3, 15, 20）の出力を表示するために、それぞれ有効なコードチャネル（2, 3, 15, 20）に属するコード分岐がまとめて表示されることを特徴とする請求項１記載の方法。
【請求項３】
少なくとも２つのアンテナ（Ant1, Ant2）に対する直交送信ダイバーシチ（ＯＴＤ）によるＣＤＭＡ信号を解析するための信号解析装置であって、該ＣＤＭＡ信号（５）は少なくとも２つのアンテナ（Ant1, Ant2）のうちの少なくともひとつを介して送信されるもので、
個々のコードチャネルの出力を検出する評価装置（３）であって、当該コードチャネルは、次のより高いコードクラス（CC7, CC8）において表示されるものとして決定されたコードクラス（CC6, CC7）に関して検出され、かつ、直交送信ダイバーシチに応じて各アンテナ（Ant1, Ant2）に分配されるとともに、直交送信ダイバーシチに基づいて有効なコードチャネルに関して実際に有効であるアンテナ（Ant1；Ant2）にそれぞれ割り当てられるものであり、
前記評価装置（３）によって該アンテナ（Ant1；Ant2）に割り当てられたコードチャネルの出力を表示する表示装置（４）を備えていることを特徴とする信号解析装置。
【請求項４】
表示装置（４）は実際に有効なひとつのアンテナ（Ant1；Ant2）のみに対するコードチャネルの出力を表示することを特徴とする請求項３記載の信号解析装置。
【請求項５】
表示装置（４）は有効なコードチャネルの出力を個々のコード分岐の出力の合計として表示することを特徴とする請求項３または４記載の信号解析装置。
【発明の詳細な説明】
【技術分野】
【０００１】
本発明は、ＣＤＭＡ（符号分割多重アクセス）信号のコードチャネルの出力を表示するための信号解析装置および方法に関する。
【背景技術】
【０００２】
第三世代の移動通信システム機器を検査するためには、信号全体を構成する個々のコードチャネル出力を算定することが必要である。個々のコードチャネルの測定された出力の評価を実施するために、コードチャネルの各出力がグラフ表示される。
【０００３】
そのために米国特許第6,219,340 B1号では、コードチャネルの個々の出力を棒形状で表示することが知られている。Ｘ軸方向に個々のコードチャネルは、それぞれひとつのクラスのコードに属するコードチャネルが並べて配列されるようにプロットされる。各コードチャネルについて表示された棒のＹ方向の長さは、各コードチャネルの測定された出力を表す。個々のコードチャネルをひとつのクラスのコード、つまり特定の拡散率（ＳＦ）に帰属させることは、提案された表示方法では下位のクラスのコードの下位の拡散率に応じて、それぞれ対応する下位のクラスのコードのコードチャネルに対して割り当てられた棒がより幅広く表示されることにより、達成される。
【特許文献１】米国特許第6,219,340 B1号
【発明の開示】
【発明が解決しようとする課題】
【０００４】
直交送信ダイバーシチによる信号の評価では、個々のコードチャネルの出力および使用されたアンテナに対するそれらの分布はそれ故認識できないという問題が生じる。特に、実際に有効なコードチャネルの有効なアンテナに属するコードチャネルを包括的に表示することができない。
【０００５】
それから生じる短所とは、直交送信ダイバーシチ（アンテナに対して直交するコードを持つ複数のアンテナによる送信）によるアンテナについて、有効なコードチャネルに対して実際に関係するコードチャネルの出力の一部しか表示されないことである。
【課題を解決するための手段】
【０００６】
本発明は、送信ダイバーシチによるＣＤＭＡ信号について、コードチャネルの表示すべき出力がそれぞれひとつのアンテナについて完全に表示される、コードチャネルの出力を表示するための信号解析装置および方法を提供することを目的とする。
【０００７】
この目的は、請求項１記載の方法および請求項３記載の信号解析装置により達成される。
【発明の効果】
【０００８】
直交送信ダイバーシチでは、有効なコードチャネルの信号は少なくとも２つのアンテナへ分割される。この目的のため、次のより高いクラスのコードから取られる２つの直交コードが生成される。次に、より低いコードチャネル番号がアンテナ１に、またより高いコードチャネル番号がアンテナ２に割り当てられる。
【０００９】
それぞれのクラスのコードに対するコードチャネルの個々の符号の生成ならびに送信ダイバーシチに対する規定、すなわち、送信ダイバーシチが送信される際に、それぞれ下位のコードチャネルつまり低いコードチャネル番号を持つコードチャネルが第１のアンテナに、また上位のコードチャネルが第２のアンテナに割り当てられなければならないという規定のため、より高いクラスのコードにおける有効なコードチャネルの表示では、ひとつおきに測定されたコードチャネルのみが、実際に有効なアンテナのコード分岐に割り当てられる。この誤解を招くような割り当ては、本発明に基づく方法により、また本発明に基づく信号解析装置の評価装置においてアダマール行列によるコードチャネル生成に対応して訂正される。したがって、それぞれ実際に有効なアンテナにそれぞれ属するすべてのコードチャネルの出力が、訂正された表示で示されることになる。
【００１０】
従属請求項は、本発明に基づく方法および本発明に基づく信号解析装置のさらに有利な構成を対象としている。
【発明を実施するための最良の形態】
【００１１】
本発明の好適な実施例は図面に表示されており、また以下の実施例に関連して詳しく説明される。
【００１２】
図１において、コードツリーの一部が概略的に示されている。横方向には、各クラスのコードが記入されており、それらはコードクラス５について符号CC5、またコードクラス６についてCC6などと表示されている。図示の例において、コードクラスCC5の番号19のコードチャネルは有効であるとする。直交送信ダイバーシチによる信号を送る際に、コードクラスCC5のコードチャネル19に割り当てられたコードは、追加要素である二つのアンテナAnt1およびAnt2へ分配拡散される。したがって、コードクラスCC5において実際に有効なチャネル19は、コードクラスCC６においてはコードチャネル19としてアンテナAnt1へ、またコードチャネル51としてアンテナAnt2へ送られる。
【００１３】
コードチャネル番号の構成法則は、以下の通りである。すなわち、アンテナAnt1のコードチャネル番号は基本コードチャネル番号である。また、アンテナAnt2のコードチャネル番号は基本コードチャネル番号に基本拡散率を加えたものである。
【００１４】
この実施例では、コードクラスCC7でのコードチャネルの各出力の表示を行うことが効果的である。そのためにまず必要なのは、コードクラスCC7の表示よりも前に、次のより高いコードクラスCC8を測定して、直交送信ダイバーシチの基礎である付加拡散率を考慮することである。コードの生成および直交送信ダイバーシチにおけるコードチャネルの個々のアンテナへの割当てに対する規定に応じて、個々のコードチャネルは、図１に示されたように、それぞれアンテナAnt1およびアンテナAnt2へ分配される。
【００１５】
つまり、コードクラスCC8における個々のコードチャネルの各出力の測定により、アンテナAnt1に対するコードチャネル19, 83, 51, 115の出力が、またアンテナAnt2に対してコードチャネル147, 211, 179, 243が測定される。この割当ては、チャネル番号のそれぞれ下半分はアンテナAnt1へ、またチャネル番号の上半分はアンテナAnt2へ割り当てなければならないという規定に基づいている。
【００１６】
しかし、選択された例については、コードクラスCC5におけるコードチャネル19を持つアンテナAnt1は実際に有効であるため、「ビットリバース表示」（bit-reversed representation）に照応する図１の該当コード分岐の表示から得られるように、アンテナAnt1に対しては測定された出力の適正なアンテナとしての再現のためにコードチャネル19, 147, 83, 211が割り当てられるべきである。したがって、アンテナAnt2に対する適正なアンテナとしての表示は、コードチャネル51におけるコードクラスCC6に起因するコード分岐から生じるコードチャネル51, 179, 115, 243を含む。
【００１７】
図２には、図１の例に対する割当てが概略的に示されている。図２の上半分における各コードチャネルの出力は、それらがコードクラスCC8における測定から直接得られた通りに表示されている。それにより、コードクラスCC7に存在する番号19, 51, 83, 115を持つコードチャネルは直交送信ダイバーシチのゆえに、それぞれ一方ではアンテナAnt1に対して、また他方ではアンテナAnt2に対して表示されている。アンテナAnt2については、理解しやすくするために図１のコードクラスCC8において示されたように、コードチャネル番号が記入されている。
【００１８】
既に図１で説明したように、コードクラスCC7におけるアンテナAnt1の割当てに関して適正な表示は、コードクラスCC6のコードチャネル19からコード分岐に応じて生成されるコードチャネルを包括すべきであろう。図２の上半分には、これらのコードチャネルが白い棒により表示されている。
【００１９】
各コードチャネルのアンテナとしての適正な割当てを達成するために、図２の矢印により示されているように、それぞれアンテナAnt1に属するコードチャネルが本発明に従い実際にアンテナAnt1に割り当てられる。図２の上半分において灰色で表示された、実際にアンテナAnt2に割り当てられるべきコードチャネルは、本発明に従いアンテナAnt2の右下半分に適正に表示される。
【００２０】
適正な割当ての実施に際して各コードチャネルの無出力値が上書きされないように、個々のコードチャネルをそれらのそれぞれ実際に有効なアンテナに対して表示する前に、測定結果のコピーが作成される。それにより、各コードチャネルの全出力がそれらの適正値をもって維持されることになる。
【００２１】
両方のアンテナによる送信が行われず、両方のアンテナの一方のみが有効である場合、上述の有効チャネルの実際に有効なアンテナに関する表示は特に有益である。図２における表示の上半分から直接的に理解されるように、適正な割当てを実施しない場合には、アンテナAnt1およびアンテナAnt2のいずれの出力を有するチャネルを含むことになる。コードチャネルの交換の実施後に、下半分における実際に有効なアンテナAnt1に対しては実際にアンテナAnt1に割り当てられたコードチャネルの出力のみが表示されているが、灰色で表示されたアンテナAnt2のコードチャネルについては出力が表示されないことになる。
【００２２】
図３のブロック回路図には、本発明の例えば基地局２の信号を解析する信号解析装置１が示されている。信号解析装置１は、評価装置３および表示装置４を備えている。ＣＤＭＡ信号５は、入力接続部６を介して信号解析装置１へ送り込まれる。図示された実施例においては、ＣＤＭＡ信号５は、信号解析装置１に接続された切換えスイッチ８を介して受信される。信号５を伝達する直接的な接続回線の代わりに、基地局２からアンテナAnt1およびAnt2を介して送られたＣＤＭＡ信号５を受信するアンテナ、あるいはアンテナAnt1およびAnt2を合わせた信号を生成するコンバイナを入力接続部６に接続してもよい。
【００２３】
両方のアンテナAnt1またはAnt2の一方のみのＣＤＭＡ信号５が信号解析装置１により受信された後に、例えばオペレーターにより確定される、表示すべきクラスのコードの次のより高いクラスのコードのコードチャネルに対する出力が、評価装置３において算定される。前述の例において、それは表示すべきコードクラスCC7に対するコードクラスCC8であろう。続いて、各コードチャネルの測定された出力の表示が評価装置３において作成され、この表示によって、対応するアンテナAnt1ないしはAnt2に割り当てられるべきコードチャネルが最終的に決定される。
【００２４】
両方のアンテナAnt1およびAnt2に対するコードチャネルについてこのように決定された出力は、続いて接続回線９を介して表示装置４へ送られる。表示装置４では好適には棒グラフが表示されるが、それは表示対象のコードクラス、この場合にはコードクラスCC7のコードチャネルの出力を含んでおり、表示装置４は好適にはそれぞれアンテナAnt1又はアンテナAnt2のみについて表示する。
【００２５】
図４においては、コードクラス２の有効なコードチャネル２について生じるコードツリーが表示されている。直交送信ダイバーシチであるため、コードクラスCC２の有効なコードチャネル２がアンテナAnt1およびアンテナAnt2を介して送られ、その際にアンテナAnt1はコードクラスCC3のコードチャネル２を、またアンテナAnt2はコードクラスCC3のコードチャネル６を含んでいる。それに応じて、個々のコードチャネルの測定された出力の表示の際に、コードクラスCC3のコードチャネル２に起因するコードチャネルの出力がそれぞれアンテナAnt1に対して表示されるはずである。図４は、表示されたコードツリーの上半分全体である。コードクラスCC6の表示が選択される場合には、それに応じてアンテナAnt1に関するアンテナ適正な表示においてコードチャネル2, 66, 34...122が表示されるはずであり、これはコードクラスCC7に関して表示されたコードチャネルの上半分に相当する。
【００２６】
コードクラスCC6における各コードチャネルの出力の表示については、既に前述したように、直交送信ダイバーシチに伴いコードクラスCC7における個々のコードチャネルの出力が測定されなければならない。その際に、アンテナAnt1又はアンテナAnt2に対して個々のコードチャネル番号が割り当てられるため、コードクラスCC7のひとつおきのチャネル番号のみがアンテナAnt1に割り当てられることになる。
【００２７】
表示装置４において出力を表示するために、本発明に従い各チャネルは、昇順のコードチャネル番号がＸ軸上に配置されるように選別分類される。コードクラスCC7にはチャネル番号0−127があり、コードチャネル番号0−63はアンテナAnt1に、またコードチャネル番号64−127はアンテナAnt2に割り当てられている。それから生じる信号解析装置１の表示装置４上の表示が図６に示されており、そこではアンテナAnt2に対してそれぞれノイズ出力のみが測定可能であると想定される。したがって、本発明に基づくコードチャネル交換を実施しない場合には、図６において濃く表示されているコードチャネル2, 10, 18, 26, 34, 42, 50, 58に対してのみ、有効なコードチャネルの出力が測定可能である。
【００２８】
これに対し、図４のアンテナAnt1のコード分岐から判明するのは、コードチャネル66, 74, 82, 90等において測定可能な出力も同様にアンテナAnt1に割り当てられることである。
【００２９】
本発明に基づくコードチャネル交換の実施後には、図７に示された画像が表示装置４上に現れるが、そこでは当初はアンテナAnt2の割り当てられていたコードチャネル66, 74, 82等が下方のコードチャネル番号の区域に表示されており、それによりアンテナAnt1に対して適正なアンテナとして表示される。したがって、図７においては、コードチャネル2, 6, 10, 14, 18, 22, 26等に対する出力が認識できる。
【００３０】
図５Ａ,５Ｂ,５Ｃにおいては、コードクラスCC3の有効なコードチャネル３、コードクラスCC4の有効なコードチャネル15およびコードクラスCC5の有効なコードチャネル20に対するコードツリーについての別の部分が表示されている。アンテナAnt1に対してコードクラスCC7においてそれぞれ測定された出力は、図４について詳しく前述された例に対応して、同様に図６において表示されている。区別を容易にするために、そのように表示されたコードチャネル3, 15, 19, 20等は明灰色に塗られている。
【００３１】
これに対し、図７はアンテナAnt1に関して測定されたコードチャネルにおける全出力の適正なアンテナとしての表示を示す。表示を理解しやすくするために、図６の表示では、アンテナAnt2はそれぞれ無効であると仮定している。しかし、実際上はアンテナAnt2もデータ伝送に寄与していることが多い。各コードチャネルにおいて生じるアンテナAnt2の出力がコードチャネル交換時にアンテナAnt1の出力により上書きされないように、予めアンテナAnt2に起因する出力の適切な保存が必要である。そのような保存は、コード交換の実施前に例えば個々のコードチャネルの出力をコピーすることにより達成できる。
【図面の簡単な説明】
【００３２】
【図１】コードツリーの一部の概略図である。
【図２】図１の例に対する割当てに関する一覧図である。
【図３】本発明に基づく信号解析装置を備えた測定システムの例のブロック回路図である。
【図４】コードツリーの一部の別の概略図である。
【図５】A-Cは、コードツリーの一部の別の３つの概略図である。
【図６】コードチャネル交換を実施する前の表示装置のグラフ表示である。
【図７】コードチャネル交換を実施した後のコードチャネル出力のグラフ表示である。
【図１】
2005535163.tif 000003
【図２】
2005535163.tif 000004
【図３】
2005535163.tif 000005
【図４】
2005535163.tif 000006
2005535163.tif 000007
【図６】
2005535163.tif 000008
【図７】
2005535163.tif 000009
【国際調査報告】
2005535163.tif 000010
2005535163.tif 000011
2005535163.tif 000012
2005535163.tif 000013
2005535163.tif 000014
2005535163.tif 000015